(57)【要約】【課題】  電気泳動表示装置、トナーディスプレイといった、電極間に粒子を含むことを特徴とする表示装置において、表示ムラを防ぎ、応答性を上げるための駆動方法を提供する。【解決手段】  書き込み波形印加前に、粒子の空間位置を初期化する（以下、リセット状態）ためのリセット波形を印加するが、リセット印加時に画素の前状態を参照することで、最適なリセット波形を規定する。その際に粒子ー壁間吸着力が押さえつけ電圧および押さえつけ時間に依存することを利用することで、応答性が最適となるようにする。【選択図】  図１
2007127969.tif 000002
【特許請求の範囲】
【請求項１】
第１の電極と、第２の電極と、前記第１の電極と前記第２の電極との間に挟まれ、移動粒子を含有する表示装置であって、粒子の空間位置を初期化する（以下、リセット状態）ためのリセット波形を、前書き込み状態を参照することにより、所望の効果が得られるよう、リセット電圧およびリセット時間を変調することを特徴とする表示装置。
【請求項２】
前記リセット波形が、前記移動粒子の空間位置を初期化するためのリセット期間と移動粒子を押さえつける力を一定とするためのリセット期間との組み合わせにより構成されていることを特徴とする請求項１記載の表示装置。
【請求項３】
書き込み波形印加時にリセット波形情報を参照することを特徴とする電気泳動方式の表示装置。
【請求項４】
前記リセット波形において、現表示状態からリセット状態への移動粒子の駆動のために必要な電圧極性とは反対極性の電圧印加時間が含まれることを特徴とする請求項１記載の表示装置。
【請求項５】
前記リセット波形において、連続して電極間に印加する同極性のリセット電圧とリセット時間の積分値をもとに情報を形成することを特徴とする請求項１記載の表示装置。
【請求項６】
前記リセット状態が白表示状態または黒状態であることを特徴とする請求項１〜請求項５のいずれかに記載の表示装置。
【請求項７】
表示装置は電気泳動方式の表示装置であることを特徴とする請求項１、請求項２、請求項４、請求項５、請求項６のいずれかに記載の表示装置。
【発明の詳細な説明】
【技術分野】
【０００１】
本発明は、電極間に分散させた複数の移動粒子を電界の作用によって移動させ表示を行う表示装置と、その駆動方法、およびその駆動回路に属する。
【背景技術】
【０００２】
非発光型の表示デバイスとして、電気泳動現象を利用した電気泳動表示装置が知られている。この電気泳動表示装置は、所定間隙を開けた状態に配置された一対の基板と、その基板間隙に注入された絶縁性液体と、該絶縁性液体に分散された多数の電気泳動粒子と、該絶縁性液体に近接するように配置された一対の電極と、を備えており、電極に電圧を印加することにより電気泳動粒子を任意の方向に移動できるように構成されている。そして、電気泳動粒子の位置を変化させることにより表示色を画素毎に変え、装置全体で画像を表示するようになっている。電気泳動表示装置としては上下電極型電気泳動表示装置、マイクロカプセル型電気泳動表示装置、In-plane型電気泳動表示装置等があるが、以下In-plane型電気泳動表示装置を例として説明を進めていく。
【０００３】
図１(a)は電気泳動表示素子の一実施態様を示す断面図である。
【０００４】
図１(b)は白表示状態の電気泳動表示素子である。
【０００５】
図６は黒表示状態の電気泳動表示素子である。
【０００６】
電気泳動表示装置の駆動方法としては
【特許文献１】特開２００２−１１６７３３号公報
【特許文献２】国際公開番号ＷＯ０２／０４５０６１号公報
【特許文献３】国際公開番号ＷＯ０３／０４４７６５号公報等がある。
【発明の開示】
【発明が解決しようとする課題】
【０００７】
特許文献１はアクティブマトリクス形式の電気泳動表示装置の駆動方法および駆動回路を提供するものであり、リセット電圧印加後に階調値に応じた電圧印加時間を加えることが特徴の発明である。
【０００８】
特許文献２は全画素について現状態と書き込み状態の差分から中間階調を求め、その階調にて全面リセットを行い、書き込み状態への必要分をさらに追書き込みする駆動方法が特徴の発明である。
【０００９】
特許文献３は現状態と書き込み状態の２時元ＬＵＴ（Look up table）を参照して書き込み波形を決定する駆動方法を特徴とする発明である。
【００１０】
しかしながら、中間階調におけるリセットは粒子制御性の観点から難しく、白リセットまたは黒リセットを行うのが一般的であるにもかかわらず、白リセットまたは黒リセット時に重要となってくる、粒子−壁間吸着力を考慮した白リセットまたは黒リセットは知られていない。
【００１１】
本発明は上述した事情に鑑みてなされたものであり、粒子−壁間吸着力が押さえつけ時間および押さえつけ電圧により決定されることに注目し、適切な白リセットまたは黒リセットおよび適切な書き込み波形を規定する表示装置の駆動方法を提案する。ただし、本発明は電気泳動表示装置に限定されず、例えばトナーディスプレイにも適用できる。
【課題を解決するための手段】
【００１２】
上記目的を達成するため、本発明の駆動方法は第１の電極と、第２の電極と、前記第１の電極と前記第２の電極との間に挟まれ、移動粒子を含む表示装置に用いられることを前提とし、リセット波形を、前書き込み波形を参照することにより、前記移動粒子を押さえつける力が一定かつ迅速な書き込みが可能になるようにリセット電圧およびリセット時間を変調することを特徴とする。
【発明の効果】
【００１３】
この発明によれば、書き込み前に一度粒子の初期化を行うため表示ムラの低減を実現し、また、粒子−壁間吸着力が押さえつけ時間および押さえつけ電圧により決定されることを利用したリセット波形を印加するため、応答速度の向上に結びつく。
【００１４】
また、リセット波形は前状態を参照して決めるため、前記電気泳動粒子を押さえつける力が各画素で均一になる。
【００１５】
また、ＬＵＴはリセット波形印加時の前状態参照と、書き込み波形印加時のリセット波形印加時の２回なので、１次元ＬＵＴが２つで済む。
【００１６】
リセット波形を用いて階調制御を行うことで、安定した階調制御性が得られる。
【発明を実施するための最良の形態】
【００１７】
次に、本発明の詳細を実施例の記述に従って説明する。
【実施例１】
【００１８】
以下、本発明の実施の形態についてIn-plane型電気泳動表示装置を例として、図２を参照して説明する。
【００１９】
本発明における駆動方法の概念として、各画素において書き込み状態を参照したリセット波形をかけることで電気泳動粒子５の空間配置と粒子−壁間吸着力を同一状態にし、その後書き込み波形を印加する一例を示す。黒リセットでもかまわないが、以後リセットは白リセットとして説明する。第１電極６はグラウンドとし、第２電極７にかかる電位を印加電圧とする。また、電気泳動粒子５は正に帯電しているとする。
【００２０】
図２(a)は黒表示状態から白リセットした時のものである。
【００２１】
図２(b)は中間階調表示状態から白リセットした時のものである。
【００２２】
図２(c)は白表示状態から白リセットした時のものである。
【００２３】
粒子−壁間吸着力が押さえつけ時間および押さえつけ電圧により決定されることに注目し、前状態を参照したリセット波形をかけている。つまり、前状態黒からの白リセットは押さえつけ時間と押さえつけ電圧との積が比較的大きいリセットをかけている。これに対し前状態白からの白リセットは、押さえつけ時間と押さえつけ電圧との積が比較的小さいリセットをかけている。これにより各画素の電気泳動粒子５の分布は同一状態になる。ただし、リセット時の粒子分布が同じでも、粒子−壁間吸着力が小さいほうが、書き込み時の応答速度を早くでき、また、電気泳動粒子５の駆動時バラツキを小さくすることができる。そのため、リセット時の電気泳動粒子５の押さえつけ電圧および押さえつけ時間は小さいほうが好ましい。
【実施例２】
【００２４】
以下、本発明の実施の形態についてIn-plane型電気泳動表示装置を例として、図３を参照して説明する。
【００２５】
本発明における駆動方法の概念として、各画素において書き込み状態を参照したリセット波形をかけることで電気泳動粒子５の空間配置を同一にする一方で、異なる粒子−壁間吸着力を用いることで、同じ書き込み波形を印加しても書き込みレベルが異なる一例を示す。
【００２６】
図３(a)は粒子−壁間吸着力が比較的大きくなるリセット波形印加後に、書き込みをおこなったものである。
【００２７】
図３(b)は粒子−壁間吸着力が比較的小さくなるリセット波形印加後に、書き込みをおこなったものである。
【００２８】
この時粒子−壁間吸着力の違いにより、図３(a)は白に近いグレー、図３(b)は黒に近いグレーとなる。これはリセット波形によって階調制御を行う一例である。従来、階調制御の技術としては、電気泳動粒子５の泳動距離を印加電圧の大きさまたは印加時間で規定することが一般的だが、電気泳動中に電気泳動粒子５の分布を制御することは、電気浸透流も含めた液流の影響を電気泳動粒子５が受けるため難しい。しかし、本発明ではリセット波形による粒子−壁間吸着力を利用して電気泳動粒子５の分布制御を行っているため、液流の影響を最小限に抑えた、安定な階調制御を行うことができる。
【実施例３】
【００２９】
以下、本発明の実施の形態についてトナーディスプレイを例として、図４と、図５を参照して説明する。
【００３０】
トナーディスプレイは透明な前面板と背面板との間に黒色粒子と白色粒子を封入した構造である。黒色粒子は正に帯電し、白色粒子は負に帯電しているとする。前面板の電圧を背面板より低くすると、図４(a)のように黒色粒子が前面板に移動し画素は黒く見える。その逆の電圧にすると図４(b)のように白色粒子が前面板に移動し画素は白く見える。
【００３１】
本発明における駆動方法の概念として、各画素において書き込み状態を参照したリセット波形をかけることで黒色粒子５および白色粒子６の空間配置と粒子−電極間吸着力を同一状態にし、その後書き込み波形を印加する一例を示す。黒リセットでもかまわないが、以後リセットは白リセットとして説明する。背面板透明電極４はグラウンドとし、前面板透明電極７にかかる電位を印加電圧とする。
【００３２】
図４(c)は黒画素状態から白リセットした時のものである。
【００３３】
図５は白画素状態から白リセットした時のものである。
【００３４】
粒子−電極間吸着力が押さえつけ時間および押さえつけ電圧により決定されることに注目し、前状態を参照したリセット波形をかけている。つまり、前状態黒からの白リセットは押さえつけ時間と押さえつけ電圧との積が比較的大きいリセットをかけている。これに対し前状態白からの白リセットは、押さえつけ時間と押さえつけ電圧との積が比較的小さいリセットをかけている。これにより各画素の黒色粒子５および白色粒子６の分布は同一状態になる。ただし、リセット時の粒子分布が同じでも、粒子−電極間吸着力が小さいほうが、書き込み時の応答速度を早くでき、また、黒色粒子５および白色粒子６の駆動時バラツキを小さくすることができる。そのため、リセット時の黒色粒子５および白色粒子６の押さえつけ電圧および押さえつけ時間は小さいほうが好ましい。
【図面の簡単な説明】
【００３５】
【図１】本発明の電気泳動表示装置の駆動方法を行う１画素の断面図の一例を示す。
【図２】本発明における電気泳動表示装置の駆動方法の一例を示す。
【図３】本発明における電気泳動表示装置の駆動方法の一例を示す。
【図４】トナーディスプレイを示す。
【図５】トナーディスプレイを示す。
【図６】本発明の電気泳動表示装置の駆動方法を行う１画素の断面図の一例を示す。
【符号の説明】
【００３６】
図１、図６において、
１  表示基板
２  後方基板
３  隔壁
４  絶縁性液体
５  帯電泳動粒子
６  第１電極
７  第２電極
８  絶縁層
図４、図５において、
１  前面板
２  背面板
３  隔壁
４  背面板透明電極
５  黒色粒子
６  白色粒子
７  前面板透明電極
【図１】
2007127969.tif 000003
【図２】
2007127969.tif 000004
【図３】
2007127969.tif 000005
【図４】
2007127969.tif 000006
【図５】
2007127969.tif 000007
【図６】
2007127969.tif 000008